(57)【要約】【課題】放射性廃棄物を収納した袋を所定の容器に入れることにより、放射線量率、重量等が自動測定され、金属の混入の有無も自動に検査される放射性廃棄物自動測定装置を提供する。【解決手段】放射性廃棄物を収納した袋１１を収容し得る容器と、容器に収容される袋の放射線量を測定する放射線量測定部３と、測定したデータを表示用データとして処理するデータ処理部４と、処理後のデータに基づいて放射線測定値を表示する表示部２とを備える。【選択図】  図１
2007078568.tif 000002
【特許請求の範囲】
【請求項１】
放射性廃棄物を収納した袋を収容し得る容器と、前記容器に収容される袋の放射線量を測定する放射線量測定部と、測定したデータを表示用データとして処理するデータ処理部と、処理後のデータに基づいて放射線測定値を表示する表示部とを備えたことを特徴とする放射性廃棄物自動測定装置。
【請求項２】
放射性廃棄物を収納した前記袋の重量を測定する重量測定部を有する請求項１記載の放射性廃棄物自動測定装置。
【請求項３】
放射性廃棄物を収納した前記袋内に収容されている金属物の有無を検知する金属探知機部を有する請求項１または２記載の放射性廃棄物自動測定装置。
【請求項４】
放射性廃棄物の内容物名、発生場所等を入力する入力部を有する請求項１ないし請求項３のいずれか１項に記載の放射性廃棄物自動測定装置。
【請求項５】
測定した放射線量および入力情報が記載された放射性廃棄物を収納した袋への貼付用ステッカーを作成するステッカー処理部、測定したデータおよび入力したデータを記録し計算処理を行うデータ演算部、および測定情報を音声情報とする音声発生装置の少なくともいずれかを有する請求項１記載の放射性廃棄物自動測定装置。
【発明の詳細な説明】
【技術分野】
【０００１】
本発明は、原子力発電所等で発生した放射性廃棄物を収納した袋の放射線量や重量を容易に測定できる放射性廃棄物自動測定装置に関する。
【背景技術】
【０００２】
放射性廃棄物を収納した袋の放射線量率による分別では、放射線管理担当者等がサーベイメータ等により、一袋ずつ測定し、記録している。重量による分別においても放射線量率と同様、一袋ずつ重量系に載せることにより行っている。
【０００３】
また、内容物により可燃、難燃、不燃の分別も行っているが、可燃袋内への金属物混入は、焼却設備への悪影響から厳重に規制されており、黙視や手持式の金属探知機用いて一袋ずつ検査している。
【０００４】
さらに袋毎に内容物、放射線量率、会社名、発生場所等を記載したステッカー類の貼付も必要で、現場に筆記具を持ち込み、一枚ずつ手書きでこのステッカーを作成する必要がある。
【０００５】
処理した放射性物質の量（袋量）は、それを処理した会社、作業件名、発生場所等、各項目毎に集計処理し、施設設置者等に報告している。
【０００６】
なお、放射性廃棄物内の金属識別方法および装置として、袋を開放せずに内部の放射性廃棄物に金属類が混入しているかいないか、混入していた場合その形状を検査する放射性廃棄物内の金属を識別し、ＩＤ管理を容易にする目的で、放射性廃棄物をテーブルに搭載し、このテーブルを水平往復移動、回転等してＸ銭撮像装置で撮像し、濃淡度合いから放射性廃棄物に混入する金属類の有無を認識する技術が提案されている（例えば、特許文献１参照）。
【特許文献１】特開２００２−１３９４６０号公報
【発明の開示】
【発明が解決しようとする課題】
【０００７】
上述の従来技術では、放射性廃棄物を収納した袋の放射線量、重量、金属混入の有無等の各種測定や検査は、人手による一袋毎の作業である。
【０００８】
本発明はこのような事情に鑑みてなされたもので、放射性廃棄物を収納した袋を所定の容器に入れることにより、放射線量率、重量等が自動測定され、金属の混入の有無も自動に検査される放射性廃棄物自動測定装置を提供することを目的とする。
【課題を解決するための手段】
【０００９】
前記の目的を達成するために、請求項１に係る発明では、放射性廃棄物を収納した袋を収容し得る容器と、前記容器に収容される袋の放射線量を測定する放射線量測定部と、測定したデータを表示用データとして処理するデータ処理部と、処理後のデータに基づいて放射線測定値を表示する表示部とを備えたことを特徴とする放射性廃棄物自動測定装置を提供する。
【００１０】
請求項２に係る発明では、放射性廃棄物を収納した前記袋の重量を測定する重量測定部を有する請求項１記載の放射性廃棄物自動測定装置を提供する。
【００１１】
請求項３に係る発明では、放射性廃棄物を収納した前記袋内に収容されている金属物の有無を検知する金属探知機部を有する請求項１または２記載の放射性廃棄物自動測定装置を提供する。
【００１２】
請求項４に係る発明では、放射性廃棄物の内容物名、発生場所等を入力する入力部を有する請求項１ないし請求項３のいずれか１項に記載の放射性廃棄物自動測定装置を提供する。
【００１３】
請求項５に係る発明では、測定した放射線量および入力情報が記載された放射性廃棄物を収納した袋への貼付用ステッカーを作成するステッカー処理部、測定したデータおよび入力したデータを記録し計算処理を行うデータ演算部、および測定情報を音声情報とする音声発生装置の少なくともいずれかを有する請求項１記載の放射性廃棄物自動測定装置を提供する。
【発明の効果】
【００１４】
本発明によれば、放射線管理担当者等による放射性廃棄物を収納した袋の放射線量測定が不要で、作業担当者等が放射性廃棄物を収納した袋を本装置に入れるだけで袋の放射線量率等を知ることが可能となる。
【発明を実施するための最良の形態】
【００１５】
以下、本発明に係る放射性廃棄物自動測定装置の一実施形態について図面を参照して説明する。図１は、本実施形態による放射性廃棄物自動測定装置の機械的構成を示す構成図であり、図２は機能ブロック図である。図３は処理手順を示すフローチャートである。
【００１６】
（１）図１および図２に示すように、本実施形態の放射性廃棄物自動測定装置２０は、放射性廃棄物を収納した袋１１を入れる容器部３ａを備えた箱状容器１と、この箱状容器１の内部に配置された放射線量を測定する放射線量測定部３と、測定したデータを処理するデータ処理部４と、放線測定値を表示する表示部２とを備えている。
【００１７】
このような構成において、放射性廃棄物を収納した袋１１を箱状容器１の放射線量測定部３の容器部３ａに入れる。袋１１内の放射性物質から放出される放射線量を放射線量測定部３で測定し、データ処理部４で処理された測定値は表示部２に表示される。
【００１８】
なお、本実施形態の装置は設置場所のバックグラウンド線量の影響を排除するため、放射線量測定部３の放射線検出器には、その場所に応じた適切な厚みの遮蔽が施されている。
【００１９】
この構成によれば、放射線管理担当者等による放射性廃棄物を収納した袋１１の放射線量測定が不要で、作業担当者等が放射性廃棄物を収納した袋１１を本装置に入れるだけで袋１１の放射線量率等を知ることが可能となる。
【００２０】
（２）次に、本実施形態では、放射性廃棄物を収納した袋１１の重量を測定する重量測定部５を備えている。重量測定部５は例えば容器部３ａの下方には位置されている。
【００２１】
この構成において、測定時には放射性廃棄物を収納した袋１１を箱状容器１に入れる。箱状容器１の底面に配置された重量測定部５が袋１１の重量を測定し、その測定値は放射線量等とともに表示部２に表示される。
【００２２】
このような構成によれば、作業担当者等が放射性廃棄物を収納した袋１１を箱状容器１に入れるだけで袋１１の重量を知ることが可能となる。
【００２３】
（３）次に、本実施形態では、放射性廃棄物自動測定装置と放射性廃棄物を収納した袋１１内の金属物の有無を検知する金属探知機部６を備えている。
【００２４】
この構成において、測定時に放射性廃棄物を収納した袋１１を箱状容器に入れると、金属探知機６がその袋１１内の金属の有無を検知し、その結果は放射線量率と共に表示部２に表示される。
【００２５】
このような構成によれば、作業担当者等が放射性廃棄物を収納した袋１１を箱状容器１に入れるだけで袋１１内の金属物の有無を知ることができる。
【００２６】
（４）次に、本実施形態では、放射性廃棄物自動測定装置と入力部７を備えている。
【００２７】
この構成において、放射性廃棄物を収納した袋１１を箱状容器１に入れた後、内容物や発生場所等の必要事項を入力する。
【００２８】
このような構成によれば、内容物や発生場所等の必要事項の入力が可能となる。
【００２９】
（５）次に、本実施形態では、内容物名、発生場所等を入力する入力部７と測定した放射線量や入力情報が記載された放射性廃棄物を収納した袋１１への貼付用ステッカーを作成するステッカー処理部８を備えている。
【００３０】
このような構成において、測定時には放射性廃棄物を収納した袋１１を箱状容器１に入れる。その袋１１の内容物、発生場所等を入力部から入力する。ステッカー処理部８により測定した放射線量および入力した内容物、発生場所等の記載されたステッカーがプリントアウトされる。
【００３１】
このような構成によれば、作業担当者等が放射性物質を収容した袋１１を本装置に入れ、必要に応じて内容物名、発生場所等を入力部から入力だけで袋１１に貼付するステッカーを作成することが可能となる。
【００３２】
（６）次に、本実施形態では、内容物名、発生場所等を入力する入力部７と測定したデータや入力したデータを記録し、計算処理等を行うデータ演算部９を備えている。
【００３３】
このような構成において、測定時には放射性廃棄物を収納した袋１１を箱状容器１に入れる。その袋１１の内容物名、発生場所等を入力部から入力する。測定した放射線量データや入力したデータはデータ演算部９に記録される。
【００３４】
このような構成によれば、作業担当者等が放射性物質を収容した袋１１を本装置に入れ、必要に応じて内容物名、発生場所等を入力部７から入力だけで袋数の集計等が自動で行えるようになる。
【００３５】
（７）次に、本実施形態では、測定情報等を音声情報とする音声発生装置１０を備えている。
【００３６】
このような構成において、測定時には放射性廃棄物を収納した袋１１を箱状容器１に入れる。この場合、「測定中です」等の案内や、測定した放射線量率情報が音声発生装置１０により、測定結果が音声情報として提供される。
【００３７】
このような構成によれば、作業担当者等が放射性物質を収容した袋１１を本装置に入れるだけで、「測定中です」等の案内や測定した放射線量率情報を音声情報として入力することが可能となる。
【００３８】
（８）次に、図３により上記各構成に基く作業手順について説明する。図３に示すように、本実施形態では、作業者の指定により予め処理項目の選択が行われる（Ｓ１）。選択がされると、選択項目にしたがって自動的に処置が実行される（Ｓ２）。
【００３９】
処理が実行されると、所定の表示が行われる（Ｓ４）。そして、記録の要否判断が行われ（Ｓ４）、「要」であると記録が行われる（Ｓ５）。記録が不要の場合および記録が行われた後には、継続処理の要、不要が判断され（Ｓ６）、継続処理要の場合にはステップＳ１に戻り、終了するまで処理が繰り替えされる。
【００４０】
以上の本実施形態によれば、放射線管理者等による放射線量率測定が不要となるばかりでなく、重量や金属物混入の有無の把握が容易になり、貼付ステッカーの作成、袋数の集計、等も簡便に行えることから、廃棄物処理に要する被曝、工数の低減が可能となる。
【図面の簡単な説明】
【００４１】
【図１】本発明に係る燃料集合体の一実施形態を示す全体概略断面図。
【図２】図１に示した燃料集合体のブロックを示す拡大図。
【図３】作用を示すフローチャート。
【符号の説明】
【００４２】
１  箱状容器
２  表示部
３  放射線量測定部
４  データ処理部
５  重量測定部
６  金属探知機部
７  入力部
８  ステッカー処理部
９  データ演算部
１０  音声発生装置
１１  袋
２０  放射性廃棄物自動測定装置
【図１】
2007078568.tif 000003
【図２】
2007078568.tif 000004
【図３】
2007078568.tif 000005